(57)【特許請求の範囲】
【請求項１】
金属板をワ字形に形成し、平坦面に釘あるいはネジ釘又はボルトを貫通する取り付け穴をあけ、ワ字形の一方を平坦面とほぼ直角に折曲して取り付け部を設け、平坦面の他方を折曲して支持部を形成し、該支持部をねじるか又は切削して平坦面より先端に到に従って幅を順次せまくし、支持部の先端部を取り付け部の先端に合わせて、取り付け部と支持部の先端部に固定用穴をあけたことを特徴とする建築構造部の継手用の金具。
【発明の詳細な説明】
【０００１】
【発明の属する技術分野】
本発明は、建築物として木造の家屋、倉庫、工場、車庫、物置等木材を使用して建築する柱、はり等の接続部をつなぐ建築構造部の継手用の金具に関するものである。
【０００２】
【従来の技術】
従来木造家屋等の構造における木材同士を接続する工法としては、図１０に示すように木材Ａと木材Ｂの接続において木材Ａに木材Ｂの頭部Ｃと首部Ｄを嵌合する穴Ｅ、Ｆをあけ、他方の木材Ｂに形成した頭部Ｃと首部Ｄを木材Ａの穴Ｅ、Ｆに嵌合して木材Ａ、Ｂを接続していたが、この継ぎ手方法であると木材Ａには穴Ｅ、Ｆをあけなくてはならず、他方の木材Ｂには頭部Ｃと首部Ｄを形成する必要があり、頭部Ｃと首部Ｄ及び穴Ｅ、Ｆが合致するように工作するには手数と時間がかかり、かつ木材Ｂの頭部Ｃと首部Ｄを形成する長さだけ木材Ｂの寸法を長くする必要があり、木材が不経済となり建築物の建築工事期間が長くなり工費もかさむ等の欠点がある。
【０００３】
【発明が解決しようとする課題】
前記従来の建築構造部の継手方法は加工に手数がかかり、木材Ｂの首部Ｄが細くなり、接続強度が弱くなるのみならず、建築期間が長くなり、建築費もかさみ、また接合部に金具を取り付ける際に、取り付け穴１８に釘、ネジ釘あるいはボルトを貫通するのにじゃまになることない金具の改善することを課題とする。
【０００４】
【課題を解決するための手段】
本発明は、金属板をワ字形に形成し、平坦面１７に釘あるいはネジ釘又はボルトを貫通する取り付け穴１８をあけ、ワ字形の平坦面１７の一方をほぼ直角に折曲して取り付け部１９を設け、平坦面１７の他方を折曲して支持部２０を設け、該支持部２０をねじるか又は切削して平坦面１７より先端に至るに従って順次せまくし、支持部２０の先端部を取付部１９の先端部に合わせて、取付部１９と支持部２０の先端部に固定用穴２１、２２をあけた建築構造部の継手用の金具である。
【０００８】
【発明の実施の形態】
本発明は、家屋、倉庫、工場その他の木材による建築構造部の柱、はり等の木材Ａと木材Ｂ同士の接合部分の突き合わせ部分にノコギリその他の加工具を使用して溝穴１、２を形成し、この溝穴１、２に打込又は押し込み用の金属板９に係止突起５、６を片面又は両面に設け、かつ金属板９に金属板９と木材Ａ、Ｂとを固定する固定ボルト穴７、８をあけ、この継ぎ手用の金属板９を木材Ａ及び木材Ｂの接続部にあけた溝穴１、２に嵌合し、木材Ａ、Ｂのボルト穴３、４と金属板９固定ボルト穴７、８とに図１１に示す調整金属棒２３を押通し、ボルト穴３、４と固定ボルト穴６、７を一致せしめ、係止部２４を使用して調整金属棒２３を引き抜き、これらのボルト穴３、４と固定ボルト穴６、７にボルト１０、１１を貫通し、ボルト１０、１１の端部にワッシャーを設け又は設けずにナット１２、１３をネジはめて木材Ａ、Ｂと金属板９とを固定し、木材Ａ、Ｂの突き合わせ接続部を堅固に接続するものである。
【０００９】
本発明は、前記継手方法のほか図３又は図７に示すように木材Ａ、木材ＢとをＴ字形に接続する場合は金属板９を使用し、又は使用しないで図４に示す横断面が三角形状に形成された金属棒１４の両端をほぼ直角に折曲して形成した釘状部１５、１６を木材Ａと木材Ｂに打ち込むと金属棒１４が三角形状でとがった状態であるので木材Ａ、Ｂに金属棒１４が食い込み、金属棒１４の上面と木材Ａ、Ｂの上面とが平坦になり木材Ａ、Ｂと接続部が堅固に接続される。
【００１０】
本発明は図７、８、９に示すように金属板をワ字形に形成し平坦面に釘あるいはネジ釘又はボルトを貫通する取付穴１８をあけ、平坦面１７の一方をほぼ直角に折曲して取り付け部１９を形成し、木材Ｂに沿わしめ、平坦面１７を木材Ａに接し、他方の支持部２０をねじるか（金属板をねじる）、切削して平坦面１７より他部に従って幅をせまくした支持部２０を形成してあるので取り付け穴１８に釘、ネジ釘あるいはボルトを貫通するのに支持部２０がじゃまになることなく、固定するのに便利であり、又従来のような金属板が単にＬ字形ではなくワ字形であって支持部２０があるので強度が大で木材Ａ、Ｂの接続部を堅固に接続することができる。
【００１１】
【実施例】
本発明の実施の１例を説明すると１０ｃｍ角の木材Ａ、Ｂの接合端部にノコギリで切り込んで３ｍｍの溝穴１、２をあけ、かつ木材Ａ、Ｂに金属板９にあけた固定ボルト穴７、８に設計によって合致する位置にボルト穴３、４をあけてあり、又金属板９は例えば鉄板で１〜５ｍｍ厚みの内３ｍｍ厚の金属板９で幅３０〜６０ｍｍの内５０ｍｍ幅で長さ３０ｃｍとし、金属板９の一部を切り起こして爪形状の係止突起５、６を形成し、こ係止突起５、６の先端を木材Ａ、Ｂの接合部の方向に向かって係止するように形成し、かつ係止突起５、６の形状も溝穴１、２に打ち込む際木材Ａ、Ｂに食い込む形状とする。この金属板９を溝穴１、２に嵌め込み、ボルト穴３、４と固定ボルト穴７、８とに図１１に示す調整金属棒２３を差し込みボルト穴３、４と固定ボルト穴７、８との位置を一致させ、引掛部２４を利用して調整金属棒２３を抜きこれらのボルト穴３、４と固定ボルト穴７、８にボルト１０、１１を貫通し、ボルト１０、１１の一端にワシャーを設け又は設けずにナット１２、１３をネジ着し、木材Ａ、Ｂの接続部を堅固に接続する。
また、図３又は図７に示すように木材Ａ、木材ＢとをＴ字形に接続する場合は金属板９を使用し、又は使用しないで図４に示す横断面が三角形状に形成された金属棒１４の両端をほぼ直角に折曲して形成した釘状部１５、１６を木材Ａと木材Ｂに打ち込むと金属棒１４が三角形状でとがった状態であるので木材Ａ、Ｂに金属棒１４が食い込み、金属棒１４の上面と木材Ａ、Ｂの上面とが平坦になり木材Ａ、Ｂと接続部が堅固に接続される。そして、図７、８、９に示すように金属板をワ字形に形成し平坦面に釘あるいはネジ釘又はボルトを貫通する取付穴１８をあけ、平坦面１７の一方をほぼ直角に折曲して取り付け部１９を形成し、木材Ｂに沿わしめ、平坦面１７を木材Ａに接し、他方の支持部２０をねじるか（図８）、切削して平坦面１７より他部に従って幅をせまくした支持部２０を形成してある（図９）。従って取り付け穴１８に釘、ネジ釘あるいはボルトを貫通するのに支持部２０がじゃまになることなく、固定するのに便利であり、又従来のような金属板が単にＬ字形ではなくワ字形であって支持部２０があるので強度が大で木材Ａ、Ｂの接続部を堅固に接続することができる。
【００１２】
【発明の効果】
本発明は上述のように木材Ａ、ＢをＴ字形に接続する場合の角部に本発明接続金具を用いて強固に係止することが出来る、また、取り付け部１９を木材Ｂに沿わしめ、平坦面１７を木材Ａに接し、他方の支持部２０をねじるか、或いは、切削して平坦面１７より他部に従って幅をせまくした支持部２０を形成している為、取り付け穴１８に釘、ネジ釘あるいはボルトを貫通するのに支持部２０がじゃまになることなく、固定するのに便利であり、又従来のような金属板が単にＬ字形ではなくワ字形であって支持部２０があるので強度が大で木材Ａ、Ｂの接続部を堅固に接続することができ、木材Ａ、Ｂを確実に接続してあるから接続部は堅固であり、金属板９の構造も簡単であるため安価に製造し得られ、木材Ａ、Ｂの接続工数も少なく木材Ａ、Ｂの接続工法も従来のように熟練した大工でなくても素人でも接続ができるし、金属板９は木材Ａ、Ｂの太さに応じ１枚あるいは数枚を使用することができるのみならず、木材Ａ、Ｂの端部に従来における頭部と首部と、それに対応する穴Ｅ、Ｆを従来のように形成する必要がなく、かつ木材Ｂに頭部と首部用の木材を長くする必要もなく木材の経済にもなり全体として接続工法が簡便であり、かつ簡単な構造の金属板を使用することにより建築の工期を短縮し、木材の節約と相まって経済性が高く、従来では得られない優れた効果を有するものである。
【図面の簡単な説明】
【図１】本発明の一実施例を示す一部切り欠きの平面図である。
【図２】本発明の一実施例を示す金属板の側面図である。
【図３】本発明の一実施例を示す金属板で木材をＴ字形に接続した場合の平面図である。
【図４】本発明の一実施例を示す金属棒より形成したカスガイ形状の金具の正面図である。
【図５】図４のカスガイ形状の金具の端面図である。
【図６】図４のカスガイ形状の金具のＨ−Ｈ線の断面図である。
【図７】本発明の各種金具を使用した説明図である。
【図８】本発明の一実施例を示すワ字形金具の斜視図である。
【図９】図８のワ字形金具の他の例を示す斜視図である。
【図１０】従来の継手の断面図である。
【図１１】調整金属棒の正面図である。
【符号の説明】
Ａ，Ｂ    木材
１，２    溝穴
３，４    ボルト穴
５，６    係止突起
７，８    固定ボルト穴
９        金属板
１０，１１  ボルト
１２，１３  ナット
１４        金属棒
１５，１６  釘状部
１７        平坦部
１８        取付穴
１９        取付部
２０        支持部
２１，２２  固定用穴
２３        調整金属棒
２４        引掛部
【図１】
0003705687.tif 000002
【図２】
0003705687.tif 000003
【図３】
0003705687.tif 000004
【図４】
0003705687.tif 000005
【図５】
0003705687.tif 000006
【図６】
0003705687.tif 000007
【図７】
0003705687.tif 000008
【図８】
0003705687.tif 000009
【図９】
0003705687.tif 000010
【図１０】
0003705687.tif 000011
【図１１】
0003705687.tif 000012